(57)【要約】【課題】イオン水の生成速度を速くすることができ、しかも生成されたイオン水の水質を良好にすることができるイオン水製造装置を提供する。【解決手段】容器２内に原料水を供給して電気分解し、アルカリイオン水及び酸性イオン水を生成するイオン水製造装置１において、上記容器２内に、アルカリイオン水の生成領域１３と酸性イオン水の生成領域１１とを隔てるようにセラミック製の隔膜３が設けられ、アルカリイオン水の生成領域１３で生成されたアルカリイオン水を採取するためのアルカリイオン水採取用配管６が、陰極として用いられる。【選択図】図１
2007319751.tif 000002
【特許請求の範囲】
【請求項１】
容器内に原料水を供給して電気分解し、アルカリイオン水及び酸性イオン水を生成するイオン水製造装置において、
上記容器内に、アルカリイオン水の生成領域と酸性イオン水の生成領域とを隔てるようにセラミック製の隔膜が設けられ、前記アルカリイオン水の生成領域で生成されたアルカリイオン水を採取するためのアルカリイオン水採取用配管が、陰極として用いられることを特徴とするイオン水製造装置。
【請求項２】
請求項１に記載のイオン水製造装置において、
前記アルカリイオン水の生成領域に前記原料水を供給するための原料水供給用配管も陰極として用いられることを特徴とするイオン水製造装置。
【請求項３】
請求項２に記載のイオン水製造装置において、
原料水供給用配管及びアルカリイオン水採取用配管が、導電性金属からなるとともに前記アルカリイオン水の生成領域に浸漬されるように設けられていて、かつ、これら両配管には前記酸性イオン水の生成領域に設けられた陽極の電位に対して負電位である電位が印加されることを特徴とするイオン水製造装置。
【発明の詳細な説明】
【技術分野】
【０００１】
本発明は、水を電気分解してアルカリイオン水及び酸性イオン水を生成するイオン水製造装置に関する。
【背景技術】
【０００２】
上述したイオン水製造装置として、結晶性粘土鉱物を主体とする電解隔膜と、この電解隔膜を挟んで配置された一対の電極とをそれぞれ有する複数の電解セルを具備し、各電解セルは、生成されるアルカリ性及び酸性の各イオン水を、他の電解セルにおける電解隔膜を挟んで所定の電極側にそれぞれ供給し得るように構成されたものが知られている。
【特許文献１】特開平８−２４８６５号公報
【発明の開示】
【発明が解決しようとする課題】
【０００３】
ところで、上述したイオン水製造装置による場合には、生成されるイオン水の水質があまり良好とは言えず、しかも生成速度も遅いという難点があった。
【０００４】
本発明は、このような従来技術の課題を解決するためになされたものであり、イオン水の生成速度を速くすることができ、しかも生成されるイオン水の水質を良好にすることができるイオン水製造装置を提供することを目的とする。
【課題を解決するための手段】
【０００５】
本発明の請求項１に係るイオン水製造装置は、容器内に原料水を供給して電気分解し、アルカリイオン水及び酸性イオン水を生成するイオン水製造装置において、上記容器内に、アルカリイオン水の生成領域と酸性イオン水の生成領域とを隔てるようにセラミック製の隔膜が設けられ、前記アルカリイオン水の生成領域で生成されたアルカリイオン水を採取するためのアルカリイオン水採取用配管が、陰極として用いられることを特徴とする。
【０００６】
本発明の請求項２に係るイオン水製造装置は、請求項１に記載のイオン水製造装置において、前記アルカリイオン水の生成領域に前記原料水を供給するための原料水供給用配管も陰極として用いられることを特徴とする。
【０００７】
本発明の請求項３に係るイオン水製造装置は、請求項２に記載のイオン水製造装置において、原料水供給用配管及びアルカリイオン水採取用配管が、導電性金属からなるとともに前記アルカリイオン水の生成領域に浸漬されるように設けられていて、かつ、これら両配管には前記酸性イオン水の生成領域に設けられた陽極の電位に対して負電位である電位が印加されることを特徴とする。
【発明の効果】
【０００８】
本発明による場合には、アルカリイオン水の生成領域で生成されたアルカリイオン水を採取するためのアルカリイオン水採取用配管が陰極として機能するため、陰極の電極が非常に大面積となり、かつ、この配管を流通する水が必ず電極の近辺を通ることになるので、イオン水の生成を効率良く行うことができ、しかも生成されるイオン水の水質を良好にすることができる。特に、請求項２のように、アルカリイオン水の生成領域に原料水を供給するための原料水供給用配管も陰極として機能させることで、イオン水の生成を効率とイオン水の水質をより良好にすることが可能になる。
【発明を実施するための最良の形態】
【０００９】
以下に、本発明を具体的に説明する。
【００１０】
図１は本発明の一実施形態に係るイオン水製造装置を模式的に示す正面図である。
【００１１】
このイオン水製造装置１は、容器２と隔壁３と原料水供給用配管４と電解液補給管５とアルカリイオン水採取用配管６とアルカリイオン水採取用配管６から分岐した水素ガス排出管７と容器２に設けられた排出管８と陽極９とを有する。
【００１２】
容器２は、例えば上方が開口したもので、その容器２の内側には、例えば桶状をした隔壁３が設けられている。この隔壁３は、例えばテラコッタなどのセラミック製であり、多少の水分を内外方向に移動させることができる。この隔壁３の内側には、原料水供給用配管４を介して原料水が供給される。原料水供給用配管４は、その一端側の供給口４ａが隔壁３の底部近傍に達するように配管され、他端側は原料水供給源、例えば水道配管（図示せず）に接続されている。なお、隔壁３の上に設けられた蓋３ａの材質は、水面よりも上方に位置するためセラミック製に限らず、任意のものを使用しても構わない。
【００１３】
アルカリイオン水採取用配管６は、一端側である取水口６ａを隔壁３の内部で上向きにした状態で配管されていて、取水口６ａより少し他端側に寄った位置で上方に折り曲げて隔壁３の上方に導出され、隔壁３よりも上方部分で水素ガス排出管７が上向きに分岐している。
【００１４】
上記アルカリイオン水採取用配管６と前記原料水供給用配管４は導電性金属からなるものが用いられ、これら配管６、４のそれぞれには陰極１０が電気的に接続されている。なお、両配管６、４は、導電性金属であることに加えて、耐腐食性に優れたものが好ましい。一方、容器２の内側であって隔壁３の外側は、陽極室１１として機能するようになっていて、その陽極室１１には前記陽極９が設けられるとともに電解液補給管５を介して電解液が補給されるようになっている。上記陽極９としては、例えば板状のもの又は棒状のものなどが用いられる。
【００１５】
よって、陽極室１１には陽極電位が、隔壁３の内側には陽極電位に対して負電位である陰極電位が印加されるため、隔壁３の内側はアルカリイオン水生成領域１３となり、陽極室１１は酸性イオン水生成領域となる。これにより、隔壁３の内側に供給された原料水が電気分解されて、アルカリイオン水生成領域１３にアルカリイオン水が、酸性イオン水生成領域１１には酸性イオン水が生成される。酸性イオン水生成領域１１の酸性イオン水は、所定水面高さに達すると排出管８を介して外部へ排出される。なお、アルカリイオン水採取用配管６の取水口６ａ側と原料水供給用配管４の供給口４ａ側とは、アルカリイオン水の中に浸漬されている。
【００１６】
隔壁３の内側のアルカリイオン水は、取水口６ａからアルカリイオン水採取用配管６により外部へ導かれ、その途中で水素ガス排出管７により水素ガスが分離される。
【００１７】
したがって、本実施形態による場合には、アルカリイオン水の生成領域１３に原料水を供給するための原料水供給用配管４と生成されたアルカリイオン水を採取するためのアルカリイオン水採取用配管６とが陰極として機能するため、陰極の電極が非常に大面積となり、かつ、これら両配管４、６を流通する水が必ず電極の近辺を通ることになるので、イオン水の生成を効率良く行うことができ、しかも生成されたイオン水の水質を良好にすることができる。
【００１８】
なお、上述した実施形態では原料水供給用配管４により原料水をアルカリイオン水の生成領域１３に供給しているため、原料水供給用配管４を陰極として機能するように構成しているが、本発明はこれに限らない。例えば原料水供給用配管により原料水を酸性イオン水生成領域１１に供給する場合は、その原料水供給用配管を陽極として機能するように構成される。
【００１９】
（生成したアルカリイオン水の利用例）
アルカリイオン水をセリシン抽出槽に供給し、その抽出槽のアルカリイオン水に繭糸を浸漬することで、高分子量のセリシンを抽出することができる。これにより繊維の改質等を行うことが可能になる。
【図面の簡単な説明】
【００２０】
【図１】本発明の一実施形態に係るイオン水製造装置を模式的に示す正面図である。
【符号の説明】
【００２１】
１    イオン水製造装置
２    容器
３    隔壁
４    原料水供給用配管
６    アルカリイオン水採取用配管
９    陽極
１０    陰極
１１    酸性イオン水生成領域（陽極室）
１３    アルカリイオン水生成領域
【図１】
2007319751.tif 000003